【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
低コヒーレント長の光の一部を測定光とするとともに前記低コヒーレント長の光の一部を参照光とし，該参照光と前記測定光の反射光とを合成し，干渉させる干渉光学系と、該干渉光学系によって得られた干渉光を各周波数成分に分光し，分光された干渉光を受光手段に受光させる分光光学系と、該受光手段からの受光信号に基づいて被検眼の画像情報を取得する眼科装置において、
前記受光手段と前記分光光学系に設けられた他の光学部材との相対的な位置関係を調整するためのキャリブレーション用の光束を前記分光光学系に導光する導光手段と、前記分光光学系の各光学部材が所定の位置関係にある分光光学系に対して前記キャリブレーション用の光束を導光し，導光された該キャリブレーション用の光束を該分光光学系を介して前記受光手段に受光させることによって得られる分光情報を予め基準分光情報として記憶する記憶手段と、該記憶手段に前記基準分光情報が記憶された状態で前記キャリブレーション用の光束を前記受光手段に受光させることによって得られる分光情報と前記記憶手段に記憶された前記基準分光情報とに基づいて前記受光手段と前記分光光学系に設けられた他の光学部材との相対的な位置関係を調整する調整手段と、を備えることを特徴とする眼科装置。
【請求項２】
請求項１の眼科装置において、前記キャリブレーション用の光束は前記参照光であり、前記導光手段は前記参照光を前記測定光の反射光とを合成させないための規制手段を有し，該規制手段を用いて前記参照光のみを前記干渉光学系を介して前記受光手段に導くことを特徴とする眼科装置。
【請求項３】
請求項１の眼科装置において、前記分光光学系は、干渉光を各周波数成分に分光するための回折格子と，該回折格子によって分光された干渉光を集光する集光レンズと，前記受光手段として各周波数成分に分光された干渉光を受光する一次元受光素子とを含み、前記調整手段は、前記分光光学系に設けられた他の光学部材に対して前記一次元受光素子の位置を調整することを特徴とする眼科装置。
【請求項４】
請求項３の眼科装置において、前記調整手段は、少なくとも前記一次元受光素子を，前記分光光学系の光軸方向及び該光軸に垂直な平面に対して移動させる駆動機構を備えることを特徴とする眼科装置。
【請求項５】
請求項１の眼科装置において、前記受光手段によって検出される分光情報が前記基準分光情報と一致しない場合、前記分光光学系で光学部材の位置ズレが生じている旨のメッセージを報知する報知手段を備えることを特徴とする眼科装置。
【請求項６】
低コヒーレント長の光の一部を測定光とするとともに前記低コヒーレント長の光の一部を参照光とし，該参照光と前記測定光の反射光とを合成し，干渉させる干渉光学系と、該干渉光学系によって得られた干渉光を各周波数成分に分光し，分光された干渉光を受光手段に受光させる分光光学系と、該受光手段からの受光信号に基づいて被検眼の画像情報を取得する眼科装置において、
前記受光手段と前記分光光学系に設けられた他の光学部材との相対的な位置関係を調整するためのキャリブレーション用の光束を前記分光光学系に導光する導光手段であって、前記参照光を前記測定光の反射光とを合成させないための規制手段を有し，該規制手段を用いて前記参照光のみを前記キャリブレーション用の光束として前記干渉光学系を介して前記受光手段に導く導光手段と、
装置の電源が投入された後、前記規制手段を用いて前記参照光のみが前記受光手段に入射された状態とし、該参照光によって該受光手段から出力される受光信号に基づいて前記受光手段と前記分光光学系に設けられた他の光学部材との相対的な位置関係を調整する調整手段と、を備えることを特徴とする眼科装置。
【請求項７】
請求項６の眼科装置において、前記規制手段は、測定光が通過する光路中に挿入される遮光板であることを特徴とする眼科装置。
【請求項８】
請求項７の眼科装置において、前記分光光学系は、干渉光を各周波数成分に分光するための回折格子と，該回折格子によって分光された干渉光を集光する集光レンズと，前記受光手段として各周波数成分に分光された干渉光を受光する一次元受光素子とを含み、前記調整手段は、少なくとも前記一次元受光素子を，前記分光光学系の光軸方向に対して移動させる駆動機構を備えることを特徴とする眼科装置。
【手続補正２】
【補正対象書類名】明細書
【補正対象項目名】０００６
【補正方法】変更
【補正の内容】
【０００６】
（１）  低コヒーレント長の光の一部を測定光とするとともに前記低コヒーレント長の光の一部を参照光とし，該参照光と前記測定光の反射光とを合成し，干渉させる干渉光学系と、該干渉光学系によって得られた干渉光を各周波数成分に分光し，分光された干渉光を受光手段に受光させる分光光学系と、該受光手段からの受光信号に基づいて被検眼の画像情報を取得する眼科装置において、
前記受光手段と前記分光光学系に設けられた他の光学部材との相対的な位置関係を調整するためのキャリブレーション用の光束を前記分光光学系に導光する導光手段と、前記分光光学系の各光学部材が所定の位置関係にある分光光学系に対して前記キャリブレーション用の光束を導光し，導光された該キャリブレーション用の光束を該分光光学系を介して前記受光手段に受光させることによって得られる分光情報を予め基準分光情報として記憶する記憶手段と、該記憶手段に前記基準分光情報が記憶された状態で前記キャリブレーション用の光束を前記受光手段に受光させることによって得られる分光情報と前記記憶手段に記憶された前記基準分光情報とに基づいて前記受光手段と前記分光光学系に設けられた他の光学部材との相対的な位置関係を調整する調整手段と、を備えることを特徴とする。
（２）  （１）の眼科装置において、前記キャリブレーション用の光束は前記参照光であり、前記導光手段は前記参照光を前記測定光の反射光とを合成させないための規制手段を有し，該規制手段を用いて前記参照光のみを前記干渉光学系を介して前記受光手段に導くことを特徴とする。
（３）  （１）の眼科装置において、前記分光光学系は、干渉光を各周波数成分に分光するための回折格子と，該回折格子によって分光された干渉光を集光する集光レンズと，前記受光手段として各周波数成分に分光された干渉光を受光する一次元受光素子とを含み、前記調整手段は、前記分光光学系に設けられた他の光学部材に対して前記一次元受光素子の位置を調整することを特徴とする。
（４）  （３）の眼科装置において、前記調整手段は、少なくとも前記一次元受光素子を，前記分光光学系の光軸方向及び該光軸に垂直な平面に対して移動させる駆動機構を備えることを特徴とする。
（５）  （１）の眼科装置において、前記受光手段によって検出される分光情報が前記基準分光情報と一致しない場合、前記分光光学系で光学部材の位置ズレが生じている旨のメッセージを報知する報知手段を備えることを特徴とする。
（６）  低コヒーレント長の光の一部を測定光とするとともに前記低コヒーレント長の光の一部を参照光とし，該参照光と前記測定光の反射光とを合成し，干渉させる干渉光学系と、該干渉光学系によって得られた干渉光を各周波数成分に分光し，分光された干渉光を受光手段に受光させる分光光学系と、該受光手段からの受光信号に基づいて被検眼の画像情報を取得する眼科装置において、
前記受光手段と前記分光光学系に設けられた他の光学部材との相対的な位置関係を調整するためのキャリブレーション用の光束を前記分光光学系に導光する導光手段であって、前記参照光を前記測定光の反射光とを合成させないための規制手段を有し，該規制手段を用いて前記参照光のみを前記キャリブレーション用の光束として前記干渉光学系を介して前記受光手段に導く導光手段と、
装置の電源が投入された後、前記規制手段を用いて前記参照光のみが前記受光手段に入射された状態とし、該参照光によって該受光手段から出力される受光信号に基づいて前記受光手段と前記分光光学系に設けられた他の光学部材との相対的な位置関係を調整する調整手段と、を備えることを特徴とする。
（７）  （６）の眼科装置において、前記規制手段は、測定光が通過する光路中に挿入される遮光板であることを特徴とする。
（８）  （７）の眼科装置において、前記分光光学系は、干渉光を各周波数成分に分光するための回折格子と，該回折格子によって分光された干渉光を集光する集光レンズと，前記受光手段として各周波数成分に分光された干渉光を受光する一次元受光素子とを含み、前記調整手段は、少なくとも前記一次元受光素子を，前記分光光学系の光軸方向に対して移動させる駆動機構を備えることを特徴とする。